(57)【要約】【課題】  尿を密閉された容器に保存することにより細菌の感染の危険性を無くした自動蓄尿検査装置を提供することである。【解決手段】  自動蓄尿検査装置内に設けられた尿保存容器２０の注排口２１は通常は蓋２２で密閉されている。尿保存容器２０に尿を注入するには、蓋開閉具４１を右方向に引きながら下降させて、蓋２２の腕２２ｃに蓋開閉具４１を係合させ蓋２２を回動させて、開放状態とし、尿注入用ピペット３１を注排口２１に挿入する。  尿の注入が終了すると、注入用ピペット３１を上昇させて、注排口２１の上方に引き上げてから蓋開閉具４１を左方向に移動させ、蓋２２の腕腕２２ｃに押動することにより蓋を閉める。【選択図】  図２
2005061983.tif 000002
【特許請求の範囲】
【請求項１】
尿保存容器と、該尿保存容器に尿を注入する尿注入機構を備えた自動蓄尿検査装置において、
上記尿保存容器は注排口を被冠する蓋部材を備え、
上記自動蓄尿検査装置は上記蓋部材の少なくとも一部を開口および閉塞するための開閉機構を備え、該開閉機構により上記蓋を開口した後に上記尿注入機構により尿を上記尿保存容器に注入すると共に、注入後に上記蓋を閉塞するように構成したことを特徴とする自動蓄尿検査装置。
【請求項２】
上記尿保存容器の蓋は、上記注排口を閉塞するように形成すると共に、上記に注排口連結したヒンジを有し、上記開閉機構の開閉操作によって上記蓋を回動させて開閉させた請求項１に記載の自動蓄尿検査装置。
【請求項３】
上記尿保存容器の蓋は、外方に突出形成した腕部を有し、該腕部に上記開閉機構の蓋開閉具を係合させて上記蓋を開閉するように構成した請求項１および２に記載の自動蓄尿検査装置。
【請求項４】
上記尿保存容器の蓋は復元可能な弾性膜部を有し、上記尿注入機構に設けられた中空針により上記弾性膜部を貫通して上記尿保存容器内に尿を注入するように構成した請求項１に記載の自動蓄尿検査装置。
【発明の詳細な説明】
【技術分野】
【０００１】
本発明は、病院などの医療施設で使用される自動蓄尿検査装置の改良に関する。
【背景技術】
【０００２】
蓄尿検査は、患者の体内における水分の代謝を観察するため、あるいは、尿中成分を定量分析するために用いられる。病院においては、入院患者の蓄尿検査を行うために、病院内の共同トイレや、汚物処理室に例えば、特開２０００−３１４７３６号（特許文献１）に開示された多人数用の自動蓄尿検査装置を設置していた。ところが、近年に至っては、複数の病室のそれぞれ簡易便器および測定端末としての自動蓄尿検査装置を設置するとともに、ナースセンターなどの看護士詰所に患者毎の尿量あるいは比重等に関するデータを管理する管理機を設け、このデータ管理機と各病室に設けられた自動蓄尿検査装置とをＬＡＮを用いるなどしてデータネットワークを構成した蓄尿管理システムが導入されるようになってきている。
【０００３】
上記自動蓄尿検査装置においては、上記特許文献１の公報に開示されているように、患者自らが排出した尿を採尿容器に採取し、この採尿容器内の尿を自動蓄尿検査装置の尿受け槽に投入することにより、自動蓄尿検査装置が投入された尿の量（体積）やその比重が測定される。その測定結果は、自動蓄尿検査装置内のメモリに患者別に記録されるとともに、中央データ管理装置に送られ、記憶または記録されるようになっている。また、上記のように尿量や比重が測定された後の尿は、その全部または一部を自動蓄尿検査装置内に設置された患者毎の保存容器に保存される。なお、自動蓄尿検査装置内の保存容器には必要な量が保存され、残余の尿は廃棄される。
【０００４】
上記自動蓄尿検査装置において蓄尿される尿は、上部に形成した投入口が開放状態のプラスチック製の保存容器に保存されている。この保存容器としては、例えば、上記特許文献１の公報に開示されているようなサンプリングカセットが用いられている。
【０００５】
しかしながら、上述のように、尿を蓄尿するための保存容器は、上部の投入口が開放されていることから、投入口から蓄尿している尿中から、感染症を誘発するような有害な細菌が拡散して、他の患者や看護士等の医療関係者に感染させてしまう危険を有している。また、蓄尿された尿から発生する臭いが保存容器の投入口から漏れ出すことから、病院内の環境を悪化させる虞がある。また、保存容器に蓄尿された尿は、通常の場合、生体検査を行うために保存容器から必要量をスピッツ管等に分注されるが、そのために保存容器を上記自動蓄尿検査装置から取り出すときに、尿をこぼしてしまう虞がある。
【０００６】
【特許文献１】特開２０００−３１４７３６号公報
【発明の開示】
【発明が解決しようとする課題】
【０００７】
本発明が解決しようとする課題は、上述した従来の問題点を克服するために、尿を蓄尿保存するときには密閉状態とし、尿を注入または排出させるときには開口することが可能な保存容器を備えた自動蓄尿検査装置を提供することにある。
【課題を解決するための手段】
【０００８】
上記課題を達成するため、請求項１の発明は、尿保存容器と、該尿保存容器に尿を注入する尿注入機構を備えた自動蓄尿検査装置において、上記尿保存容器は注排口を被冠する蓋部材を備え、上記自動蓄尿検査装置は上記蓋部材の少なくとも一部を開口および閉塞するための開閉機構を備え、該開閉機構により上記蓋を開口した後に上記尿注入機構により尿を上記尿保存容器に注入すると共に、注入後に上記蓋を閉塞するように構成したことを要旨とする。
【０００９】
また請求項２の発明は、上記尿保存容器の蓋は、上記注排口を閉塞するように形成すると共に、上記に注排口連結したヒンジを有し、上記開閉機構の開閉操作によって上記蓋を回動させて開閉させたことを要旨とする。
【００１０】
さらに請求項３の発明は、上記尿保存容器の蓋は、外方に突出形成した腕部を有し、該腕部に上記開閉機構の蓋開閉具を係合させて上記蓋を開閉するように構成したことを要旨とする。
【００１１】
さらにまた請求項４の発明は、上記尿保存容器の蓋は復元可能な弾性膜部を有し、上記尿注入機構に設けられた中空針により上記弾性膜部を貫通して上記尿保存容器内に尿を注入するように構成したことを要旨とする。
【発明の効果】
【００１２】
本発明によれば、蓋を有する保存容器によって、尿を密閉された状態で保存することがされるので、従来のように尿中の細菌による感染の危険が防止され、しかも保存中の尿の臭いが漏れることが未然に防止される。また、尿の取り出し時にこぼしたりする虞もなく、取り扱いが簡単になる。
【発明を実施するための最良の形態】
【００１３】
自動蓄尿検査装置において、該自動蓄尿検査装置に設置される尿保存容器に蓋を設け、尿注入時には該蓋を開放して尿保存容器の注排口から尿を注入し、注入後には上記蓋によって密閉状態で尿を保存可能とする。
【実施例１】
【００１４】
図１は、自動蓄尿検査装置の概略構成を示す。同図において、１は採尿カップ、２は投入口、３は投入部、４はバルブ、５は比重測定部、６はポンプ、７は尿保存機構、８は排水路、９，１０は流路である。
【００１５】
患者の尿は、採尿カップ１によって採尿される。採尿カップ１に入れられた尿は、投入部３の投入口２に投入される。投入部３では、投入された尿の容量または重量が測定される。投入部３に投入された尿は、ポンプ６によって比重測定部５に流路９を経由して送られる。この時、投入部３に残った保存を必要としない尿は、流路９に接続されたバルブ４を介して排水路８から外部に排出される。
【００１６】
流路９を経由して比重測定部５に導入された尿は、超音波方式等によって比重が測定される。その後、尿はポンプ６によって尿保存機構７に送られ、所要量の尿が保存容器２０に注入されて保存される。このとき、保存に必要のない尿は、流路１０を通って排水路８から排出される。上記保存容器２０は、患者毎に尿を保存するように２個から５０個程度の複数個が設置されている。そして、採尿された尿を投入口２から投入するときに、図示しないコントローラのパネルによって患者コードを入力することによって、尿保存機構７が患者コードに基づいて保存容器２０を選択し、後述する尿注入機構３０によって患者に応じた保存容器２０に注入されて保存される。
【００１７】
図２は、本発明による尿保存機構の一実施形態を示す。同図において、２０は尿保存容器、３０は尿注入機構、４０は蓋の自動開閉機構である。図２においては、患者コードに基づいた１個の尿保存容器２０を示し、他の保存容器は省略している。
【００１８】
尿保存容器２０には尿の注排口２１が形成されていて、注排口２１には蓋２２が脱着可能に嵌着されている。蓋２２は、図３に示すように、蓋部２２ａ、ヒンジ２２ｂ、腕２２ｃおよび嵌着リング２２ｄから構成されている。蓋２２は、可撓性を有するプラスチックから形成され、略円盤状に形成された蓋部２２ａの下面には、注排口２１に嵌合する凸部が形成されている。ヒンジ２２ｂは、屈曲可能に形成され、蓋部２２ａと嵌着リング２２ｄとを連結している。このヒンジ２２ｂをスナップ式に構成することにより、自動開閉機構４０によって開閉操作を行うときに、腕２２ｃを僅かに移動させることによって開放状態または閉塞状態に移行するように構成しても良い。また、腕２２ｃは蓋部２２ａのヒンジ２２ｂ側に突出形成され、自動開閉機構４０の蓋開閉具４１に係合させて蓋部２２ａを回動させるようにしている。このような蓋２２は、尿保存容器２０の注排口２１の外周に嵌着するように嵌着リング２２ｄが形成され、ヒンジ２２ｂの一端を結合している。嵌着リング２２ｄは、図４に示すように、内周面に凸条２２ｅが形成されていて、尿保存容器２０の注排口２１の壁２１ｂの外周側に形成された凹溝２１ａに嵌合させることにより蓋２２を注排口２１に嵌着される。このように、注排口２１に形成した凹溝２１ａと嵌着リング２２ｄに形成した凸条２２ｅとを嵌合することによって、漏洩を防止するようにしている。なお、凹溝と凸条との関係を逆にしても良い。
【００１９】
尿注入機構３０は、図２に示すように、注入用ピペット３１、アーム３２、回転機構３３及び昇降機構３４から構成され、注入用ピペット３１はアーム３２の先端部に取り付けられ、注排口２１に対し、昇降かつ回転可能になっている。すなわち、前述したように、尿保存容器２０は尿保存機構７内に複数個が設置されているので、注入用ピペット３１を患者コードに基づいて指定された尿保存容器２０まで移動させる必要がある。このため、回転機構３３を設けて注入用ピペット３１を指定された保存容器２０まで移動させている。なお、上述した構成は、複数の尿保存容器２０を整列固定し、注入用ピペット３１を移動させる形式であるが、逆に複数の尿保存容器２０を移動させる形式の場合には、回転機構３３は不要となる。
【００２０】
蓋２２の自動開閉機構４０は、蓋開閉具４１を有し、蓋開閉具４１は駆動機構４２によって図示の左右方向、および、若干下降するように駆動される。
【００２１】
尿保存容器２０の注排口２１には、図２に示すように、通常は蓋２２によって密閉されている。そして、尿保存容器２０に尿を注入するときは、まず、蓋開閉具４１を蓋２２の腕２２ｃに係合させる。その後、図５に示すように、駆動機構４２を作動させて蓋開閉具４１を右方向に引きながら下降（略円運動）させるように駆動する。この操作によって、蓋２２がヒンジ２２ｂの屈曲によって回動され、図６に示すような開放状態となって注排口２１が開口する。
【００２２】
このように注排口２１が開口されると、尿注入機構３０が下降して、注入用ピペット３１が注排口２１に挿入すると共に、注入用ピペット３１から尿が尿保存容器２０に注入される。その後、尿の注入が終了すると、注入用ピペット３１を上昇させて注排口２１の上方に引き上げてから、図７に示すように蓋開閉具４１を左方向に若干上昇するように移動させ、蓋２２の腕２２ｃを押動することにより蓋２２を閉めて注排口２１を密閉状態に閉塞する。蓋２２によって注排口２１を密閉状態にすることにより、図８のように、尿保存容器２０を傾けても尿がこぼれることはない。なお、手動で蓋２２を閉めるには、腕２２ｃを倒せばよい。
【実施例２】
【００２３】
図９および図１０は、本発明による尿保存機構の他の実施形態を示す。本実施形態において、蓋２２の自動開閉機構４０は、レバー４３、コイルばね４４および押圧部４５から構成されている。レバー４３の一端部は尿注入機構３０のアーム３２に取り付けられ、レバー４３の他端部には押圧部４５が設けられている。レバー４３には、押圧部４５とアーム３２にコイルばね４４が巻回状態で配設されている。そして、常時は、図９に示すようにコイルばね４４によって、レバー４３を所定の長さに伸長させている。
【００２４】
上述した状態から、尿保存容器２０に尿を注入するときには、尿注入機構３０のアーム３２を回動すると共に下降させる。このとき、注入用ピペット３１に先行して、押圧部４５が蓋２２の腕２２ｃを押圧する。これにより、図１０に示すように、蓋２２を開放すると共に、レバー４３がコイルばね４４の弾力に抗して上昇し、蓋２２を開放状態に維持する。蓋２２を開放されると、下降してきたアーム３２と共に注入用ピペット３１が下降して、尿保存容器２０の注排口２１から尿保存容器２０の内部に挿入され、尿の注入が行われる。
【実施例３】
【００２５】
図１１は本発明による尿保存機構の更に他の実施形態を示す。本実施形態において、尿保存容器２０の注排口２１は、蓋５０によって密閉されている。蓋５０は、例えば弾性を有するゴム、あるいはプラスチックによって形成され、中央部分には肉薄部５１が形成されている。また、尿保存容器２０に尿を注入するときには、中空の注入針３５が使用される。この注入針３５は、先端が傾斜されていて、周知の注射針と同様に形成されている。
【００２６】
蓋５０は尿保存容器２０の注排口２１に嵌着されていて、常時は閉塞されたままの状態となっている。そして、尿を尿保存容器２０に注入するには、注入針３５を下降させて蓋５０の肉薄部５１を貫通させて、先端を尿保存容器２０の内部まで挿入する。その後、注入針３５の中空内に尿を流通させることによって注入する。尿保存容器２０に所定量の尿が注入された後には、注入針３５を上昇させて蓋５０から抜く。このとき、蓋５０の肉薄部５１は、前述のように弾性を有するので、注入針３５によって形成された穴が弾力によって復元されて穴が閉塞する。この結果、尿保存容器２０の注排口２１は密閉状態に維持される。
【実施例４】
【００２７】
図１２は本発明の他の実施形態として、尿保存容器の変形例を示す。即ち、容器として袋状の容器６０が使用されており、蓋２２の構成は前記実施例と同じである。
【産業上の利用可能性】
【００２８】
本発明は、例えば、特開２０００−３１４７３６号に開示された自動蓄尿検査装置に適用可能である。  
上記装置のサンプリングカセットは尿保存容器であるが、その上部は開放されているので、これに代えて本発明の開閉可能な蓋を備えた尿保存容器を用いる。
【図面の簡単な説明】
【００２９】
【図１】自動蓄尿検査装置の概略構成図である。
【図２】本発明の実施例１の概略構成図である。
【図３】図２の実施例において尿保存容器の蓋の構造を示す斜視図である。
【図４】蓋の部分的構造図である。
【図５】蓋を開く方法の説明図である。
【図６】尿保存容器の蓋の開放状態を示す図である。
【図７】蓋を閉じる方法の説明図である。
【図８】蓋を閉めた状態の尿保存容器を示す図である。
【図９】本発明の実施例２の概略構成図である。
【図１０】図９の実施例で蓋を開く方法の説明図である。
【図１１】本発明の実施例３の概略構成図である。
【図１２】本発明の実施例４の概略構成図である。
【符号の説明】
【００３０】
２０    尿保存容器
２１    注排口
２２    蓋
２２ａ  蓋部
２２ｂ  ヒンジ
２２ｃ  腕
３０    尿注入機構
３１    注入用ピペット
３５    注入針
４０    自動開閉機構
４１    蓋開閉具
【図１】
2005061983.tif 000003
【図２】
2005061983.tif 000004
【図３】
2005061983.tif 000005
【図４】
2005061983.tif 000006
【図５】
2005061983.tif 000007
【図６】
2005061983.tif 000008
【図７】
2005061983.tif 000009
【図８】
2005061983.tif 000010
【図９】
2005061983.tif 000011
【図１０】
2005061983.tif 000012
【図１１】
2005061983.tif 000013
【図１２】
2005061983.tif 000014